(57)【要約】【課題】蛍光灯型ＬＥＤランプにより商品陳列室内を照明する場合に、蛍光灯型ＬＥＤランプが中心線回りに回転することを防止して商品陳列室内の目的とする方向を確実に照明する。【解決手段】内部に商品陳列室を有し、前面に開口を有するショーケース本体と、Ｃ形リング部１５ｂを有し、ショーケース本体の照明チャンネル部１４に取付けられる一対のランプホルダ１５と、両端部をＣ形リング部１５ｂに保持され、商品陳列室内を照明する蛍光灯型ＬＥＤランプ１６と、照明チャンネル部１４に取付けられ、蛍光灯型ＬＥＤランプ１６にこの蛍光灯型ＬＥＤランプ１６の中心線回りの回転を規制するように嵌合される嵌合保持具２９と、を有する。【選択図】図２
2017051454.tif 000002
【特許請求の範囲】
【請求項１】
内部に商品陳列室を有し、前面に開口を有するショーケース本体と、
Ｃ形リング部を有し、前記ショーケース本体の照明チャンネル部に取付けられる一対のランプホルダと、
両端部を前記Ｃ形リング部に保持され、前記商品陳列室内を照明する蛍光灯型ＬＥＤランプと、
前記照明チャンネル部に取付けられ、前記蛍光灯型ＬＥＤランプにこの蛍光灯型ＬＥＤランプの中心線回りの回転を規制するように嵌合される嵌合保持具と、
を有することを特徴とするショーケース。
【請求項２】
前記蛍光灯型ＬＥＤランプは、複数のＬＥＤを基板に取付けたＬＥＤモジュールと、前記ＬＥＤモジュールを覆う円筒状の透光性筒体と、前記透光性筒体の両端に取付けられる一対の口金とを有し、前記口金の外周部にこの口金を前記ＬＥＤモジュールに取付けるビス装着用の少なくとも２つの凹部が設けられ、前記嵌合保持具は前記凹部に嵌合される一対の突起を有することを特徴とする請求項１記載のショーケース。
【請求項３】
前記口金は一方が給電用口金であるとともに他方が非給電用口金であり、前記嵌合保持具の前記突起は前記非給電用口金の前記凹部に嵌合されていることを特徴とする請求項２記載のショーケース。
【発明の詳細な説明】
【技術分野】
【０００１】
本発明は、蛍光灯型ＬＥＤランプを使用して商品陳列室内を照明するショーケースに関する。
【背景技術】
【０００２】
従来、ショーケース本体の商品陳列室内を照明するランプとして、直管形蛍光ランプが広く使用されている。ショーケース本体への直管形蛍光ランプの取付けは、Ｃ形リング部を有する一対のランプホルダをショーケース本体の照明チャンネル部に取付け、直管形蛍光ランプの両端部をＣ形リング部に挿入することにより行われている。直管形蛍光ランプからの光の照射は、ランプの外周方向に向けて３６０°の範囲で略均等に行われるため、取付けられた直管形蛍光ランプがＣ形リング部内で回転しても、商品陳列室内を照明することに関しては何ら問題は生じない。
【０００３】
近年、ショーケース本体の商品陳列室内を照明するランプとして、消費電力が少なく長寿命である直管形ＬＥＤランプが使用されるようになっており、例えば、下記特許文献１に記載されている。
【０００４】
ところで、ＬＥＤから照射される光は指向性が強いため、直管形ＬＥＤランプがＣ形リング部内で回転すると、商品陳列室内の目的とする方向を照明できなくなるという問題が発生する。そこで下記特許文献１の照明装置では、直管形ＬＥＤランプとして外周形状が角形であるライン型ＬＥＤランプを用い、ランプホルダのＣ形リング部の内周部にノッチ溝列を設け、ライン型ＬＥＤランプの外周部をノッチ溝に嵌合させることによりライン型ＬＥＤランプがＣ形リング部内で回転することを防止し、商品陳列室内の目的とする方向を確実に照明するようにしている。
【先行技術文献】
【特許文献】
【０００５】
【特許文献１】特許２０１０−１５８３３７号公報
【発明の概要】
【発明が解決しようとする課題】
【０００６】
しかしながら、特許文献１に記載された照明装置は、外周形状が角形であるライン型ＬＥＤランプを使用する場合に限り、そのライン型ＬＥＤランプがＣ形リング部内で回転することを防止して目的とする方向を確実に照明できるようになっている。このため、外周形状が円形である蛍光灯型ＬＥＤランプを使用した場合には、その蛍光灯型ＬＥＤランプがＣ形リンク部内で回転しやすく、目的とする方向を確実に照明することができない。
【０００７】
本発明は、このような課題を解決するためになされたものであり、その目的は、蛍光灯型ＬＥＤランプにより商品陳列室内を照明する場合に、蛍光灯型ＬＥＤランプが中心線回りに回転することを防止して商品陳列室内の目的とする方向を確実に照明することができるようにしたショーケースを提供することである。
【課題を解決するための手段】
【０００８】
本発明に係るショーケースは、内部に商品陳列室を有し、前面に開口を有するショーケース本体と、Ｃ形リング部を有し、前記ショーケース本体の照明チャンネル部に取付けられる一対のランプホルダと、両端部を前記Ｃ形リング部に保持され、前記商品陳列室内を照明する蛍光灯型ＬＥＤランプと、前記照明チャンネル部に取付けられ、前記蛍光灯型ＬＥＤランプにこの蛍光灯型ＬＥＤランプの中心線回りの回転を規制するように嵌合される嵌合保持具とを有することを特徴とする。
【０００９】
また、前述のショーケースにおいて、前記蛍光灯型ＬＥＤランプは、複数のＬＥＤを基板に取付けたＬＥＤモジュールと、前記ＬＥＤモジュールを覆う円筒状の透光性筒体と、前記透光性筒体の両端に取付けられる一対の口金とを有し、前記口金の外周部にこの口金を前記ＬＥＤモジュールに取付けるビス装着用の少なくとも２つの凹部が設けられ、前記嵌合保持具は前記凹部に嵌合される一対の突起を有することが望ましい。
【００１０】
また、前述のショーケースにおいて、前記口金は一方が給電用口金であるとともに他方が非給電用口金であり、前記嵌合保持具の前記突起は前記非給電用口金の前記凹部に嵌合されていることが望ましい。
【発明の効果】
【００１１】
本発明に係るショーケースは、蛍光灯型ＬＥＤランプの両端部が照明チャンネル部に取付けられたランプホルダのＣ形リング部により保持され、さらに、照明チャンネル部に取付けられた嵌合保持具が蛍光灯型ＬＥＤランプに中心線回りの回転を規制するように嵌合されている。このため、蛍光灯型ＬＥＤランプは中心線回りに回転することが規制され、商品陳列室内の目的とする方向を確実に照明することができる。
【００１２】
また、嵌合保持具は一対の突起を有し、これらの突起が口金に形成された凹部に嵌合されることにより、蛍光灯型ＬＥＤランプの中心線回りの回転を、簡単な構成により確実に規制することができる。
【００１３】
また、蛍光灯型ＬＥＤランプの両端に設けられた口金は一方が給電用口金であるとともに他方が非給電用口金であり、嵌合保持具の突起は非給電用口金の凹部に嵌合されているので、嵌合保持具を金属で形成した場合であっても、嵌合保持具が短絡の原因となる事故の発生を防止できる。
【図面の簡単な説明】
【００１４】
【図１】本発明の一実施形態のショーケースを示す断面側面図である。
【図２】ランプホルダと蛍光灯型ＬＥＤランプと嵌合保持具との配置状態を拡大して示す側面図である。
【図３】蛍光灯型ＬＥＤランプを示す斜視図である。
【図４】嵌合保持具を示す斜視図である。
【発明を実施するための形態】
【００１５】
本発明の一実施形態について、図面に基づいて説明する。図１は、ショーケース１を示す断面側面図であり、このショーケース１は、基台２と基台２の上部に載置されたショーケース本体３とを有している。
【００１６】
ショーケース本体３は、断面形状コの字型の断熱材からなる外周壁４とこの外周壁４の内側に位置する仕切板５とを有している。ショーケース本体３の内部には商品陳列室６が設けられ、ショーケース本体３の前面には開口７が設けられている。商品陳列室６内には、上下方向に沿って複数段の商品陳列棚８が設けられ、これらの商品陳列棚８は仕切板５に取付けられている。
【００１７】
外周壁４と仕切板５との間には、ダクト９が設けられている。ダクト９内には、冷気を生成する冷凍装置の一部である冷却器１０と、冷気を送風するファン１１とが設けられている。ダクト９の上部手前側には、ダクト１９内を矢印で示すように流れた冷気が下向きに吹き出す吹出口１２が設けられ、ダクト９の下部手前側には吹出口１２から吹き出した冷気が吸い込まれる吸込口１３が設けられている。
【００１８】
ショーケース本体３の上部手前側には照明チャンネル部１４が設けられ、この照明チャンネル部１４には一対のランプホルダ１５と一つの嵌合保持具２９とが取付けられ、ランプホルダ１５により蛍光灯型ＬＥＤランプ１６が保持されている。さらに、ショーケース本体３の上部手前側には、蛍光灯型ＬＥＤランプ１６と照明チャンネル部１４とを覆うように、アクリル製の行燈１７が設けられている。
【００１９】
蛍光灯型ＬＥＤランプ１６は図３に示すように、長尺状の基板１８とこの基板１８上に配置された複数のＬＥＤ１９と基板１８の両端に固定された口金取付部材（図示せず）とを有するＬＥＤモジュール２０と、ＬＥＤモジュール２０を収容する円筒状の透光性筒体２１と、透光性筒体２１の一端側に設けられた給電用口金２２と、透光性筒体２１の他端側に設けられた非給電用口金２３とを有している。給電用口金２２と非給電用口金２３との外周部には一対の凹部２４が設けられ、これらの凹部２４内にビス２５が装着されるとともにそのビス２５が口金取付部材に螺合されることにより口金２２、２３が透光性筒体２１の端部に取付けられている。給電用口金２２には二本の給電ピン２６が設けられ、非給電用口金２３には二本の非給電用ピン２７が設けられている。給電ピン２６と非給電ピン２７とは同じ形状に形成されている。
【００２０】
ランプホルダ１５は図２に示すように、一端側にクリップ部１５ａを有するとともに他端側に可撓性を有するＣ形リング部１５ｂを有している。照明チャンネル部１４へのランプホルダ１５の取付けは、クリップ部１５ａを照明チャンネル部１４に形成された取付長孔２８に挿入することにより行われている。照明チャンネル部１４への蛍光灯型ＬＥＤランプ１６の取付けは、蛍光灯型ＬＥＤランプ１６の長手方向の両端部をＣ形リング部１５ｂに嵌合することにより行われている。
【００２１】
嵌合保持具２９は図４に示すように、金属により平板状に形成され、一端側に半円形の保持部２９ａが設けられ、この保持部２９ａの両端に突起２９ｂが設けられている。半円形の保持部２９ａは、蛍光灯型ＬＥＤランプ１６の外周を囲む寸法に形成されている。嵌合保持具２９の他端側には、Ｌ字型に屈曲した取付片２９ｃが設けられ、この取付片２９ｃに取付孔２９ｄが設けられている。
【００２２】
また、嵌合保持具２９は図２に示すように、取付孔２９ｄに挿通したネジ３０により照明チャンネル部１４に取付けられている。嵌合保持具２９は非給電用口金２３側に配置され、突起２９ｂが非給電用口金２３の外周部に設けられた凹部２４に嵌合されている。
【００２３】
このような構成において、照明チャンネル部１４に取付けられた蛍光灯型ＬＥＤランプ１６を点灯させることにより、蛍光灯型ＬＥＤランプ１６から照射された光によって商品陳列室６内が照明される。
【００２４】
照明チャンネル部１４への蛍光灯型ＬＥＤランプ１６の取付けは、照明チャンネル部１４に一対のランプホルダ１５を取付け、蛍光灯型ＬＥＤランプ１６の両端部をランプホルダ１５のＣ形リング部１５ｂに嵌合させることにより行われている。さらに、照明チャンネル部１４に嵌合保持具２９が取付けられ、この嵌合保持具２９に設けられた一対の突起２９ｂが非給電用口金２３の外周部に設けられた凹部２４に嵌合されている。このように、突起２９ｂが凹部２４に嵌合されることにより、ランプホルダ１５に取付けられている蛍光灯型ＬＥＤランプ１６が中心線回りに回転することが規制され、蛍光灯型ＬＥＤランプ１６から照射された光による商品陳列室６内の目的とする方向の照明を維持することができる。したがって、ショーケース１のランプとして指向性が強く照明範囲が狭い蛍光灯型ＬＥＤランプ１６を使用した場合でも、蛍光灯型ＬＥＤランプ１６が中心線回りに回転したために商品陳列室６内の目的とする方向を照明できなくなるという事態の発生を防止することができる。
【００２５】
ランプホルダ１５に取付けられている蛍光灯型ＬＥＤランプ１６が中心線回りに回転することを規制する構成としては、嵌合保持具２９を照明チャンネル部１４に取付け、嵌合保持具２９に設けた突起２９ｂを非給電用口金２３の凹部２４に嵌合させたものであり、簡単で安価な構成とすることができる。
【００２６】
既存のショーケースにおいて使用している蛍光灯を蛍光灯型ＬＥＤランプ１６に変更する場合には、嵌合保持具２９を取付けるための加工を照明チャンネル部１４に施すだけでよく、蛍光灯から蛍光灯型ＬＥＤランプ１６への変更を容易に行うことができる。また、蛍光灯型ＬＥＤランプ１６の給電用口金２２には二本の給電ピン２６が設けられるとともに非給電用口金２２には給電ピン２６と同じ形状の二本の非給電ピン２７が設けられているため、蛍光灯から蛍光灯型ＬＥＤランプ１６に変更した場合、蛍光灯型ＬＥＤランプ１６への通電及び保持を、既存のショーケースで使用していたソケットを用いて行える。
【００２７】
また、嵌合保持具２９は非給電用口金２３側に設けられており、突起２９ｂが非給電用口金２３に設けられた凹部２４に嵌合されている。このため、嵌合保持具２９が金属製であっても、この嵌合保持具２９が短絡の原因となる事故を防止することができる。
【符号の説明】
【００２８】
１    ショーケース
２    基台
３    ショーケース本体
４    外周壁
５    仕切板
６    商品陳列室
７    開口
８    商品陳列棚
９    ダクト
１０    冷却器
１１    ファン
１２    吹出口
１３    吸込口
１４    照明チャンネル部
１５    ランプホルダ
１５ａ  グリップ部
１５ｂ  Ｃ形リング部
１６    蛍光灯型ＬＥＤランプ
１７    行燈
１８    基板
１９    ＬＥＤ
２０    ＬＥＤモジュール
２１    透光性筒体
２２    給電用口金
２３    非給電用口金
２４    凹部
２５    ビス
２６    給電ピン
２７    非給電ピン
２８    取付長孔
２９    嵌合保持具
２９ａ  保持部
２９ｂ  突起
２９ｃ  取付片
２９ｄ  取付孔
３０    ネジ
【図１】
2017051454.tif 000003
【図２】
2017051454.tif 000004
【図３】
2017051454.tif 000005
【図４】
2017051454.tif 000006